Podtech/llm-jp-corpus-v4-ja_patent huggingface dataset:
(57)【要約】      （修正有）【課題】軽量で輸送や保管も容易で、廃棄も簡単にできる組み立て式ダンボールベッドを提供する。【解決手段】ベッドの床板１はダンボールシートを２〜３枚貼り合わせてボード状に作る。そしてその下面に三角形や台形またはコの字型の桁２を貼り付ける。しかし桁２は折りたたみができるように部分的に貼る。そして床板１は寸法が大きくなるため中央部で二つ折りできるような継ぎ構造に作る。そして全体がワンタッチで組み立てできるようなシンプル構造に作る。さらにオプションとして、床板１の端部に折りたたみ可能な目隠し板も取り付け可能に作る。【選択図】図１
0003187511.tif 000002
【実用新案登録請求の範囲】
【請求項１】
ダンボールシートを複数枚貼り合わせた床板と折りたたみ式の三角形の桁、または台形の桁または井桁から成りこれら桁が複数本床板の下面に取り付けられていることを特徴とする組み立て式ダンボールベッド
【請求項２】
前記ベッドにおいて床板が中央部で折りたためるように作られている事を特徴とするダンボールベッド。
【請求項３】
前記ベッドにおいて床板の周囲辺の一部に目隠し用の段ボール製のつい立てが取り付けられている事を特徴とする組み立て式ダンボールベッド
【考案の詳細な説明】
【技術分野】
【０００１】本考案はダンボール製パレット等の分野に属する
【背景技術】
【０００２】従来からベッドは木製の物や、鉄パイプ製のものが広く使用されているが、いずれも価格が高く容積も大きいものが多い。
【考案の開示】
【考案が解決しようとする課題】
【０００３】木製やパイプ製のベッドは大きくて重く、組み立てや移動も難しくまた、使用しなくなったとき保管や廃棄も簡単にできない問題がある。
【課題を解決するための手段】
【０００４】本案はこれらの課題をダンボールという安価で強い素材で作ることによって解決を図るものである
【考案の効果】
【０００５】ダンボールという素材は安価である上に設計によって、強度は大幅に強くすることが可能であり、また軽量で輸送や保管も容易であり、かつ廃棄も簡単にできるなど大きな効果が期待できる。
【考案を実施するための最良の形態】
【０００６】ベッドの床板はダンボールシートを２〜３枚貼り合わせてボード状に作る。そしてその下面に三角形や台形またはコの字型の桁を貼り付ける。しかし桁は折りたたみができるように部分的に貼る。そして床板は寸法が大きくなるため中央部で二つ折りできるような継ぎ構造に作る。そして全体がワンタッチで組み立てできるようなシンプル構造に作る。さらにオプションとして、床板の端部に折りたたみ可能な目隠し板も取り付け可能に作る。
【実施例１】
【０００７】素材であるダンボールシートは強度がある複両面ダンボールのＫ６−ＷかＫ７−Ｗの強化芯ダンボールを使用するのが良い。
【実施例２】
【０００８】ベッドの床板（１）は、このダンボールシートを２〜３枚貼り合わせてボード状に作る。
【実施例３】
【０００９】床板の裏面に貼る三角桁（２）は、ダンボールシートに２本の罫線（２ａ）を付け、３分割し１片はのり代（２ｃ）で床板に貼り他の２片は折りたたむと三角形が形成される様に作る。
【実施例４】
【００１０】台形桁（５）はダンボールシートに３本の罫線を付け、端部の１片はのり代（２ｃ）で床板に貼りつける。他の３片は折り曲げると台形が形成できるように作る。
【実施例５】
【００１１】コの字桁は、井桁状の桁（６）で、二対のコの字型をした桁を互いに向き合わせに直角に結合して１本の桁に構成するものである。作り方はダンボールシートに２本の罫線を付け、コの字型に形成し、かつシートの端面にはもう一対のコの字桁と結合するための結合用切り溝（６ａ）を複数か所作り設ける。この切り溝を互いに組み合わせ１本の桁を作る。
【実施例６】
【００１２】目隠し板（７）は、床板（１）の上面のコーナー部や端面の一部に予め折りたたんだ状態で貼る、または取り付けられていて、使用時ついたてのように起こしてベッドのコーナー周辺を覆うようにする。
【図面の簡単な説明】
【００１３】
【図１】  ベッドの全体図である
【図２】  ベッドを折りたたんだ時の側面図である
【図３】  三角桁シートの展開図である
【図４】  三角桁シートの側面図である
【図５】  台形桁ベッドの側面図である
【図６】  台形桁シートの展開図である
【図７】  台形桁シートの側面図
【図８】  井桁ベッドの側面図である
【図９】  井桁シートの展開図である
【図１０】  井桁の側面図である
【符号の説明】
【００１４】１    床板
２    三角桁
２ａ  罫線
２ｃ  のり代
３    固定版
４    継ぎ板
５    台形桁
６    井桁
６ａ  切り溝
【図１】
0003187511.tif 000003
【図２】
0003187511.tif 000004
【図３】
0003187511.tif 000005
【図４】
0003187511.tif 000006
【図５】
0003187511.tif 000007
【図６】
0003187511.tif 000008
【図７】
0003187511.tif 000009
【図８】
0003187511.tif 000010
【図９】
0003187511.tif 000011
【図１０】
0003187511.tif 000012
【手続補正書】
【提出日】平成25年9月19日(2013.9.19)
【手続補正１】
【補正対象書類名】実用新案登録請求の範囲
【補正対象項目名】請求項２
【補正方法】変更
【補正の内容】
【請求項２】
床板が中央部で折りたためる様に作られている事を特徴とする請求項１記載の組み立て式ダンボールベッド
【手続補正２】
【補正対象書類名】実用新案登録請求の範囲
【補正対象項目名】請求項３
【補正方法】変更
【補正の内容】
【請求項３】
床板の周囲辺の一部に目隠し用のダンボール製つい建てが取り付けられている事を特徴とする請求項１記載の組み立て式ダンボールベッド
(57)【要約】      （修正有）【課題】図書館で本を借りたとき、貸出伝票をなくさないポケット付きしおりを提供する。【解決手段】厚手の長方形の用紙Ａの一方の短辺２の内側に穴４を開けリボン５を通してしおりを作る。厚手の長方形の用紙Ａの、長辺１より短い長辺６をもつ透明の長方形のビニールＢの、２本の長辺６及び１本の短辺７を厚手の用紙Ａに、厚手の長方形の用紙Ａの他方の短辺３と透明の長方形のビニールＢの短辺７が重なるように貼り付けてポケット状とする。また透明のビニールＢの長辺６に平行に長円形の穴８を設ける。このポケットに本の貸し出し条件等を記載した貸出伝票をポケットの入口１０より入れ，その用紙が抜き辛い場合は，長円形の穴８から貸出伝票を指で外に送り出せるようにした。【選択図】図１
0003187661.tif 000002
【実用新案登録請求の範囲】
【請求項１】
厚手の長方形の用紙（Ａ）の一方の短辺（２）の内側に穴（４）を開け、リボン（５）を通し，厚手の長方形の用紙（Ａ）の長辺（１）より短い長辺（６）をもち，長辺に平行に長円の穴（８）を設けた透明の長方形のビニール（Ｂ）の、２本の長辺（６）及び１本の短辺（７）を厚手の用紙（Ａ）の短辺（３）が重なるように貼り付けてポケット状としたポケット付きしおり。
【考案の詳細な説明】
【技術分野】
【０００１】
本考案は，図書館から発行された貸出伝票を保管するしおりに関する。
【背景技術】
【０００２】
図書館の仕事のうちの一つに貸出状況の管理がある。これに関する特許文献の多くは貸出システムに関するものである。本の一部にＩＣチップやラベル・タグなどを取り付けて貸出管理をするものは特許文献１・特許文献２・特許文献３にみられる。
多くの図書館は、本の返却日を記載した伝票を発行して、本の返却期限を忘れないようにしている。また、本の返却時に伝票を提出することを義務付けている図書館もある。この伝票を入れるためのポケット付しおりに関する特許文献は見当たらない。
【先行技術文献】
【特許文献】
【０００３】
【特許文献１】特開２００２−０１９９２２号公報ＤＢ
【特許文献２】実開平０６−０４３６６９号公報ＤＢ
【特許文献３】実登３１２１８９６号公報ＤＢ
【考案の概要】
【考案が解決しようとする課題】
【０００４】
図書館は本を貸し出す時に貸出伝票を発行する。この貸出伝票には本の返却日などが書かれているが、本を借りた人は伝票を紛失することがあり、大変慌てる。本の返却時に伝票の提出を義務付けている図書館もあるので、本を借り貸し出し伝票を紛失した人は困惑する。貸出伝票を紛失しないようにすることが課題である。
【課題を解決するための手段】
【０００５】
課題を解決するために本考案は以下の構成とした。
厚手の長方形の用紙（Ａ）の一方の短辺（２）の内側に穴（４）を開けリボン（５）を通してしおりを作る。
厚手の長方形の用紙（Ａ）の、長辺（１）より短い長辺（６）をもつ透明の長方形のビニール（Ｂ）の、２本の長辺（６）及び１本の短辺（７）を厚手の用紙（Ａ）に、厚手の長方形の用紙（Ａ）の他方の短辺（３）と透明の長方形のビニール（Ｂ）の短辺（７）が重なるように貼り付けてポケット状とする。また透明のビニール（Ｂ）の長辺（６）に平行に長円形の穴（８）を設ける。
このポケットに本の貸し出し条件等を記載した貸出伝票をポケットの入口（１０）より入れ，その用紙が抜き辛い場合は，長円形の穴（８）から貸出伝票を指で外に送り出せるようにした。
【考案の効果】
【０００６】
本考案は，以下の効果を有する。
しおりは本に挟めて使用するので、しおりの形にしておけば、本を読む時に便利である。ポケットに貸出伝票を入れておけば、しおりのついた本と貸出伝票に記載された事項が一致し、特定できる。貸出伝票の紛失を防ぐことができ、本を借りた人も返却時に慌てて伝票を探す必要がなくなり、図書館の職員も貸出業務を楽に行うことが出来る。
貸出伝票にバーコードがコピーされていれば、安価に本の管理が出来る。
【図面の簡単な説明】
【０００７】
【図１】本考案の全体図
【図２】厚手の長方形の用紙
【図３】長円形の穴付き透明の長方形のビニール
【図４】使用説明図
【考案を実施するための形態】
【０００８】
以下本考案の実施形態について説明する。
図書館は本を貸し出す時に貸出伝票を発行する。この貸出伝票には本の返却日などが書かれているが、本を借りた人は伝票を紛失することがあり、大変慌てる。本の返却時に伝票の提出を義務付けている図書館もあるので、本を借りた人は困惑する。貸出伝票を紛失しないように工夫をしたしおりを考案した。
厚手の長方形の用紙（Ａ）の一方の短辺（２）の内側に穴（４）を開けリボン（５）を通してしおりを作る。
厚手の長方形の用紙（Ａ）の、長辺（１）より短い長辺（６）をもつ透明の長方形のビニール（Ｂ）の、２本の長辺（６）及び１本の短辺（７）を厚手の長方形の用紙（Ａ）に、厚手の長方形の用紙（Ａ）の他方の短辺（３）と透明の長方形のビニール（Ｂ）の短辺（７）の一方が重なるように貼り付けてポケット状とする。このポケットに本の貸し出し条件等を記載した貸出伝票（９）をポケットの入口（１０）より入れる。
これはしおりとして使用できるので、本を読む時に便利である。またポケットに貸出伝票を入れておけば、しおりのついた本と貸出伝票（９）に記載された事項が一致し、貸し出された本かどうか，特定できる。貸出伝票の紛失を防ぐことができ、本を借りた人も返却時に慌てて伝票を探す必要がなくなり、図書館の職員も貸出業務を楽に行うことが出来る。
また透明のビニール（Ｂ）の長辺（６）に平行に長円形の穴（８）を設ける。
貸出伝票が抜き辛い時に，長円形の穴（８）から貸出伝票を指で外に送り出せるようにするためである。
【符号の説明】
【０００９】
Ａ    厚手の長方形の用紙
１．厚手の長方形の用紙の長辺
２．厚手の長方形の用紙の一方の短辺
３．厚手の長方形の用紙の他方の短辺
４．穴
５．リボン
Ｂ    透明の長方形のビニール
６．透明の長方形のビニールの長辺
７．透明の長方形のビニールの一方の短辺
８．長円形の穴
９．貸出伝票
１０．ポケットの入口
【図１】
0003187661.tif 000003
【図２】
0003187661.tif 000004
【図３】
0003187661.tif 000005
【図４】
0003187661.tif 000006
(57)【要約】      （修正有）【課題】刈払機のナイロンコードカッター使用時に大量飛散する草等を効率よく防止することと草刈り作業の操作性と作業効率の向上を図る刈払機飛散防止カバーを提供する。【解決手段】ナイロンコードカッターが左回転する刈払機の主軸に取り付ける刈払機飛散防止カバー１であって、右側よりも左側を大きくする。【選択図】図１
0003187665.tif 000002
【実用新案登録請求の範囲】
【請求項１】
刈払機のナイロンコ−ドカッタ−使用時に大量飛散する草等を効率よく防止することと草刈り作業の操作性と作業効率の向上を図るため、刈払機飛散防止カバ−▲１▼を刈払機の左回転方向に合わせ、左側の飛散防止カバ−を大きくし、カバ−の形も草等の飛散状態に合わせ効率よく身を防護する形状とした刈払機飛散防止カバ−である。
【考案の詳細な説明】
【技術分野】
【０００１】  この考案は、刈払機のナイロンコ−ドカッタ−使用時に、大量に飛散する草等から効率よく身を防護するカバ−
【背景技術】
【０００２】  既存のものは、カバ−が小さく草等の飛散防止ができない。反対にカバ−の大きいものは飛散防止ができるが、刈払機の取り回しや狭い場所で操作がしづらく作業効率も悪い。（特許文献１参照）
【先行技術文献】
【０００３】
【特許文献】
【特許文献】特開００００−００００００号会報
【考案の概要】
【考案が解決しようとする課題】
【０００４】  刈払機のナイロンコ−ドカッタ−使用時に大量飛散する草等の飛散を防止することと草刈り作業の操作性と作業効率の向上を図ること。
【課題を解決するための手段】
【０００５】▲１▼刈払機の左回転方向に合わせ、取り回しや作業の効率を考え左側の飛散防止カバ−を大きくした。
▲２▼飛散防止カバ−の形も草等の飛散状態に合わせ効率よく身を防護する形状とした。
【考案の効果】
【０００６】刈払機のナイロンコ−ドカッタ−使用時に大量飛散する草等の飛散防止が図れ、かつ、草刈り作業の効率化と作業能率が格段に向上した。
【図面の簡単な説明】
【０００７】
【図１】刈払機飛散防止カバ−の形状を表した平面図で、刈払機の主軸に直角に付ける。
0003187665.tif 000003
【図２】刈払機飛散防止カバ−の側面図で、刈払機の主軸に垂直に付ける。
0003187665.tif 000004
【考案を実施するための形態】
【０００８】以下、本考案を実施するための形態について説明する。
刈払機飛散防止カバ−を刈払機の主軸に直角に付ける。
取付け位置及び垂直位置については、作業効率と草等の飛散防止の効果が最大になるよう調整可能である。
本考案は以上のような構造である。
【符号の説明】
【０００９】  ▲１▼  刈払機飛散防止カバ−
▲２▼  刈払機取付けステ−
【図１】
0003187665.tif 000005
【図２】
0003187665.tif 000006
【手続補正書】
【提出日】平成25年9月13日(2013.9.13)
【手続補正１】
【補正対象書類名】実用新案登録請求の範囲
【補正対象項目名】全文
【補正方法】変更
【補正の内容】
【実用新案登録請求の範囲】
【請求項１】
ナイロンコ−ドカツタ−が左回転する刈払機の主軸に取り付ける刈払機飛散防止カバ−であって、右側よりも左側を大きくしたことを特徴とする刈払機飛散防止カバ−
【手続補正２】
【補正対象書類名】明細書
【補正対象項目名】０００７
【補正方法】変更
【補正の内容】
【０００７】
【図１】刈払機飛散防止カバ−の形状を表した平面図で、刈払機の主軸に直角に付ける。
【図２】刈払機飛散防止カバ−の側面図で、刈払機の主軸に垂直に付ける。
(57)【要約】      （修正有）【課題】複数の辺が面として紙コップに接触することで、紙コップがより安定する紙コップ用転倒防止具を提供する。【解決手段】紙コップ用転倒防止具は、弾性変形可能な素材であり、上端の内径が紙コップ１００の上側の外径より小さい径で形成され、紙コップ１００の外周の一部を挟持する本体１０を備え、本体１０は、本体１０の上端側に設けられ、本体１０の上端から下方に延びる複数のスリット１２が形成され、この複数のスリット１２の間に複数の辺１３が形成された挟持部１１と、本体１０の下端側に設けられ、上面視で、紙コップ１００の底部より大きい径の円形状に形成された支持部２１を有し、紙コップの底部より大きい径の円形状の支持部２１を有するはかま部２０と、を備える。【選択図】図１
0003187676.tif 000002
【実用新案登録請求の範囲】
【請求項１】
弾性変形可能な素材であり、上端の内径が紙コップの上側の外径より小さい径で形成され、紙コップの外周の一部を挟持する本体を備え、
本体は、
本体の上端側に設けられ、本体の上端から下方に延びる複数のスリットが形成され、この複数のスリットの間に複数の辺が形成され、本体に挿入された紙コップの外周の一部を複数の辺により挟持する挟持部と、
本体の下端側に設けられ、上面視で、紙コップの底部より大きい径の円形状に形成された支持部を有し、紙コップの底部より大きい径の円形状の支持部が、紙コップが載置される面に接するはかま部と、
を有する紙コップ用転倒防止具。
【考案の詳細な説明】
【技術分野】
【０００１】  本考案は、紙コップ用転倒防止具に関する。
【背景技術】
【０００２】  従来、軽量コップのテーパ部の上半分とほぼ同じサイズのテーパ状円筒体を、該軽量コップに付属させておき、該テーパ状円筒体を、その大径部を下にして置き、その中に軽量コップを上から挿入して立てた状態で使用する軽量コップの転倒防止構造が提案されている（特許文献１参照）。
【先行技術文献】
【実用新案登録文献】
【０００３】
【特許文献１】特開平１０−０１６９８５号公報
【考案の概要】
【考案が解決しようとする課題】
【０００４】  特許文献１における軽量コップの転倒防止構造は、はかま部が紙コップの円周状の線の部分だけ接触しているので、紙コップが安定しない。【０００５】  本考案は、複数の辺が面として紙コップに接触することで、紙コップがより安定する紙コップ用転倒防止具を提供することを目的とする。
【課題を解決するための手段】
【０００６】  弾性変形可能な素材であり、上端の内径が紙コップの上側の外径より小さい径で形成され、紙コップの外周の一部を挟持する本体を備え、本体は、本体の上端側に設けられ、本体の上端から下方に延びる複数のスリットが形成され、この複数のスリットの間に複数の辺が形成され、本体に挿入された紙コップの外周の一部を複数の辺により挟持する挟持部と、本体の下端側に設けられ、上面視で、紙コップの底部より大きい径の円形状に形成された支持部を有し、紙コップの底部より大きい径の円形状の支持部が、紙コップが載置される面に接するはかま部と、を有する紙コップ用転倒防止具。【０００７】  本考案の構成によれば、複数の辺が面として紙コップに接触している。これにより、以下の効果を奏する。（１）紙コップがより安定する。（２）複数の辺で紙コップを挟持する部分は紙が二重になるので、中身が熱いものでも持ちやすい。（３）保温性が向上する。
【考案の効果】
【０００８】  本考案によれば、複数の辺が面として紙コップに接触することで、紙コップがより安定する紙コップ用転倒防止具を提供できる。
【図面の簡単な説明】
【０００９】
【図１】本考案の実施形態に係る紙コップ用転倒防止具の側面図である。紙コップ用転倒防止具１は、本体を備える。
【図２】本考案の実施形態に係る紙コップ用転倒防止具の使用方法を説明する図である。
【考案を実施するための形態】
【００１０】  本考案の実施形態に係る紙コップ用転倒防止具について説明する。なお、以下の説明において、同一の構成には同一の符号を付し、その説明を省略又は簡略化する。
本考案の実施形態に係る紙コップ用転倒防止具１の構成を図面に基づいて説明する。
図１は、本考案の実施形態に係る紙コップ用転倒防止具１の側面図である。紙コップ用転倒防止具１は、本体１０を備える。
【００１１】  本体１０は、弾性変形可能な素材であり、上端の内径が紙コップ１００の上側の外径より小さい径で形成され、紙コップ１００の外周の一部を挟持する。
本体１０は、垂直断面が八の字形状の筒状体に形成され、紙コップ１００が底部から挿入される。
本体１０は、挟持部１１と、はかま部２０と、を備える。
【００１２】  挟持部１１は、本体１０の上端側に設けられている。
挟持部２０は、本体１０の上端から下方に延びる複数のスリット１２が形成され、この複数のスリット１２の間に複数の辺１３が形成されている。
挟持部２０は、本体１０に挿入された紙コップ１００の外周の一部を複数の辺１３により挟持する。
【００１３】  また、挟持部２０は、各辺１３にＡ、Ｂ、Ｃなどの記号を付け、その上部を手で折り曲げるなどすると、使用中辺数の人との区別が出来る。
なお、紙コップ１００自体に線状の凹凸を入れてもよい。
【００１４】  はかま部２０は、本体１０の下端側に設けられている。
はかま部２０は、上面視で、紙コップ１００の底部より大きい径の円形状に形成された支持部２１を備える。
はかま部２０は、紙コップ１００の底部より大きい径の円形状の支持部２１が、紙コップ１００が載置される面に接し、紙コップ１００が転倒するのを防止する。
【００１５】  次に、本考案の実施形態に係る紙コップ用転倒防止具１の使用方法について説明する。
図２は、本考案の実施形態に係る紙コップ用転倒防止具１の使用方法を説明する図である。
まず、紙コップ用転倒防止具１は、紙コップ１００の底に近いところで底に沿って切断し、切断面の方からコップの中ほどまで垂直にスリット１２を均等に８カ所を入れることで作成できるが、挟持部１１及びはかま部２０が形成できれば、任意の方法で作成することができる。
次に、紙コップ用転倒防止具１を、はかま部２０を下にして、挟持部１１の上方から、本体１０の内部に紙コップ１００を差し込む。これにより、挟持部１１の各辺１３は、紙コップ１００の外周により押し広げられ、紙コップ１００の外周の一部を挟持する。
【００１６】  本考案の実施形態に係る紙コップ用転倒防止具１によれば、紙コップ１００のままより設置面が大きくなり、転倒しにくくなる。また、二重になる部分が多く断熱性も加わり、例えば冷たい飲み物も暖まりにくく結露もしにくい。もちろん熱いものも、紙コップ単体よりもさめにくく、素手で持っても熱さを感じにくくなる。
【００１７】  なお、本考案は前記実施形態に限定されるものではなく、本考案の目的を達成できる範囲での変形、改良等は本考案に含まれるものである。
【符号の説明】
【００１８】１      紙コップ用転倒防止具
１０    本体
１１    挟持部
１２    スリット
１３    辺
２０    はかま部
２１    支持部
１００  紙コップ
【図１】
0003187676.tif 000003
【図２】
0003187676.tif 000004
(57)【要約】      （修正有）【課題】雨天等における自動車ワイパーの使用時においてワイパーの必要以上の払拭動作を減少させる自動車のワイパー制御装置を提供する。【解決手段】ワイパー制御装置に次のアルゴリズムを追加することによりワイパーの必要以上の払拭動作を減少させる。自動車速度情報を使用して自動車が走行中か停止中かを判断し、ワイパー操作レバーが連続動作の位置にある場合に自動車が停止したらワイパーを間欠動作に切替える。また、ワイパー操作レバーが間欠動作の位置にある場合に自動車が停止したらワイパーを停止に切替える。【選択図】図２
0003187678.tif 000002
【実用新案登録請求の範囲】
【請求項１】
ワイパー制御装置に自動車速度情報を入力し、自動車の走行時にワイパーが連続動作していた場合は自動車が停止するとワイパーは間欠動作に切替わる。また、自動車の走行時にワイパーが間欠動作していた場合は自動車が停止するとワイパーは停止に切替わることを特徴とするワイパー制御装置。
【請求項２】
自動車速度情報はスイッチにより使用するかしないかを選択可能である。
【請求項３】
自動車停止の判断は自動車の速度が０〜数Ｋｍ／ｈの範囲である。
【考案の詳細な説明】
【技術分野】
【０００１】
本考案は、自動車のワイパー制御装置に自動車速度計による自動車走行・停止の情報を加えた、ワイパー制御装置に関するものである。
【背景技術】
【０００２】
自動車用ワイパーの連続動作・間欠動作・停止の切替えを持つ制御装置は自動車の走行・停止に係わらずワイパーの制御を実行する。
【先行技術文献】
【特許文献】
【０００３】
【特許文献１】特許公開２００１−３４７９２６
【考案の概要】
【考案が解決しようとする課題】
【０００４】
雨天の走行時に於いて自動車の運転手はワイパーを使用するが、ワイパーの連続動作・間欠動作・停止の切替えを持つ制御装置を搭載した自動車は、交差点の信号などによる自動車の停止時においても同じ動作を続ける。同様に少雨の走行時に於いてワイパーを間欠動作させる場合も自動車の停止時に間欠動作を行い続ける。
自動車の走行時と停止時に於いてフロントガラスに当たる雨水の量に違いが生じるがワイパーの制御は常に一定である。自動車の停止時に走行時と同じワイパーの制御を行っており必要以上の払拭動作による無駄な電力の消費が発生している。また、雨水を必要以上に払拭することによりフロントガラスとワイパーブレードの摩擦による異音を生じたりワイパーブレードの損傷を引き起こす場合がある。
【課題を解決するための手段】
【０００５】
本考案の自動車のワイパー制御装置は、自動車速度計からの自動車速度の情報と次のアルゴリズムをワイパー制御装置に加える。自動車走行時にワイパーを連続動作していた場合には自動車が停止したときにワイパーを間欠動作に切替える。また、自動車走行時にワイパーを間欠動作していた場合には自動車が停止したときにワイパーを停止に切替える。
上記の動作を行うことでワイパーの必要以上の払拭動作を減少させることにより問題点を解決している。
なお、自動車速度計からの自動車速度の情報は運転手の判断により使用しない選択も可能である。
また、自動車の速度が０〜数Ｋｍ／ｈの範囲内のときを自動車の停止と判断する。
【考案の効果】
【０００６】
ワイパーの必要以上の払拭動作が減少することにより、必要以上の払拭動作による電力が不要となる。また、フロントガラスとワイパーブレードの摩擦による異音を生じる機会やワイパーブレードの損傷を引き起こす機会が減少する。
【図面の簡単な説明】
【０００７】
【図１】図１は自動車のワイパー制御装置に自動車速度計からの自動車速度情報とそれを処理するアルゴリズム及び自動車速度情報使用スイッチの追加を示した図である。
【図２】図２はワイパー制御装置に追加するアルゴリズムである。
【図３】図３は自動車速度情報使用スイッチをダッシュボードに取り付けたところを運転席から見たときの図である。
【考案を実施するための形態】
【０００８】
自動車速度情報使用スイッチをダッシュボードの中で運転手の見えやすい位置に設置し、このスイッチを入れることによりワイパーの必要以上の払拭動作を減少させることが可能である。
【実施例】
【０００９】
以下、添付図面に従って一実施例を説明する。１の自動車速度情報使用スイッチを入れることによりワイパーの必要以上の払拭動作を減少させることの準備が出来る。自動車が走行しているときに降雨等でワイパーを連続動作するように２のワイパー操作レバーを動かせばワイパーは連続動作を実行する。その後赤信号などで自動車が停止するとワイパーは自動的に間欠動作に切替わる。同様に間欠動作をするようにワイパー操作レバーを動かしていた場合は自動車が停止するとワイパーは停止する。
１の自動車速度情報使用スイッチを切っているときは自動車の走行・停止に係わらずワイパーはワイパー操作レバーの指示を実行し続ける。
【符号の説明】
【００１０】
１    自動車速度情報使用スイッチ
２    ワイパー操作レバー
【図１】
0003187678.tif 000003
【図２】
0003187678.tif 000004
【図３】
0003187678.tif 000005
【手続補正書】
【提出日】平成25年10月11日(2013.10.11)
【手続補正１】
【補正対象書類名】実用新案登録請求の範囲
【補正対象項目名】全文
【補正方法】変更
【補正の内容】
【実用新案登録請求の範囲】
【請求項１】
ワイパー制御装置に自動車速度情報を入力し、自動車の走行時にワイパーが連続動作していた場合は自動車が停止するとワイパーは間欠動作に切替わり、自動車の走行時にワイパーが間欠動作していた場合は自動車が停止するとワイパーは停止に切替わることを特徴とするワイパー制御装置。
【請求項２】
自動車速度情報はスイッチにより使用するかしないかを選択可能であることを特徴とする請求項１記載のワイパー制御装置。
【請求項３】
自動車停止の判断は自動車の速度が０〜６Ｋｍ／ｈの範囲であることを特徴とする請求項１記載のワイパー制御装置
(57)【要約】      （修正有）【課題】図書館の本棚、倉庫の棚、商品展示用の陳列棚等からの地震による物品の落下を防止する物品落下防止ベルトを提供する。【解決手段】固定金具を有する本体５と、接合金具１を有するベルト２とからなる物品落下防止ベルトにおいて、前記本体は巻き取り可能なローラー３を内部に備える。棚に物品を並べるさいには、ベルトは本体に巻き取られており作業に支障はきたさない。また並べ終わったときにはすぐにベルトを張ることが可能である。さらに支え板方式と異なり、常にベルトがしっかりと物品を支えるので、確実に物品の落下防止の機能を維持する。【選択図】図１
0003187654.tif 000002
【実用新案登録請求の範囲】
【請求項１】
固定用金具が装着されている本体から、引き出し巻き取りが可能な物品落下防止用ベルト
【考案の詳細な説明】
【技術分野】
【０００１】  この考案は図書館の本棚、倉庫の棚、商品展示用の陳列棚等からの地震による物品の落下を防止するベルトに関する。
【背景技術】
【０００２】従来この対策として、棚の下端に針金を波状に曲げた形の防止柵を取り付ける方法等があり、一部に実用化されている。ただし、その効果、設置費用、見栄え、取扱いの不便という面から普及していない。
【考案の概要】
【考案が解決しようとする課題】
【０００３】  しかしながら、以上の技術によれば、ある程度の揺れの大きな地震に遭遇したさい、前記の種々の棚から物品が床に落下し、その物品の多くが破損あるいは損傷している。この落下物の処理に多大な労力が必要で、さらにそのさい負傷する恐れも生じる。【０００４】そこで、この考案は、棚の両側の端にある縦板に装着された本体から、ある程度の幅を持ち、棚板と並行に引き出されたベルトを張り、これにより物品の落下を防止することを課題とする。なおベルトの材質は用途によって、網状のもの、透明なフィルム状のもの、普通の布等である。
【課題を解決するための手段】
【０００５】  以上の課題を解決するため、棚の一方の縦板に、ベルトがバネにより引き出し、巻き取り可能なローラーを内部に持つ本体を設置する。このベルトの先端には接続用の金具がついており、これを用いて反対側の縦板に固定することも、また反対側から引き出されたベルトの先端と接合することも出来る。【０００６】  とくに棚板が長い場合には、両側の縦板に本体を設置し、それぞれがベルトを伸ばして、中央部分で接合させる。これによりベルトの張力が２倍となり、ベルトをしっかりと張ることができる。
【考案の効果】
【０００７】  第一考案によれば、棚の物品は地震の揺れにあっても、棚自体が転倒しない限り、張力のかけられたベルトによって支えられ、棚から落下する可能性は大幅に減少する。【０００８】  この考案による落下防止ベルトの本体には、縦板に固定するための固定用金具が付けられている。またこの固定金具と外付けの金具を組み合わせることによって、縦板の形状に左右されることなく、取り付けが可能となる。
【図面の簡単な説明】
【０００９】
【図１】この考案の一実施形態を示す正面図である。
【考案を実施するための形態】
【００１０】  この考案の一実施形態は図１のとおりである。
物品の寸法、形などにより、本体の大きさ、ベルトの幅、ベルトの形状、バネの強さ等は、変更されるが、考案の方式の基本は変わらない。
【００１１】「実施形態の効果」
この実施形態では、棚の下方の支え板と異なり、棚に置かれた物品を高い位置で固定するため、地震の揺れに対して大きな効果を発揮する。さらにベルトにはバネによる張力が生じているため、衝撃の緩和についても効果的である。
【符号の説明】
【００１２】１  物品落下防止ベルト              ２  ベルト
３  バネ                            ４  ローラー
５  固定用金具                      ６  引き出し巻き取り軸ローラー
【図１】
0003187654.tif 000003
【手続補正書】
【提出日】平成25年8月26日(2013.8.26)
【手続補正１】
【補正対象書類名】実用新案登録請求の範囲
【補正対象項目名】全文
【補正方法】変更
【補正の内容】
【実用新案登録請求の範囲】
【請求項１】
固定金具を有する本体と、接合金具を有するベルトとからなる物品落下防止ベルトにおいて、前記本体は巻き取り可能なローラーを内部に備えることを特徴とする物品落下防止ベルト。
(57)【要約】      （修正有）【課題】３畳用畳ユニットにおいて、半畳用畳という既成サイズの畳を使いながら、掘炬燵機能を備え持たせ、その両機能を容易に使用できるシステムを提供する。【解決手段】３つからなるボックス１のうち、中央のボックスの中央部に桟木を掛けるための欠き込みを入れる。その書き込みと同サイズの桟木３を設置する。この形態によって２枚の半畳用畳４を中央ボックスに安全に乗せることができる。この桟木３が無いと中央部に負荷がかかったときに半畳用畳が反転してしまう恐れがあり危険である。またこの桟木を外すことにより、もともと備え付けられている仕切り板１と中央ボックスの側板でできた正方形の上に炬燵５を設置することができ、その前後のスペースには敷板６を設置することで３畳の掘り炬燵の和風空間を作り出すことができる。【選択図】図５
0003187660.tif 000002
【実用新案登録請求の範囲】
【請求項１】
３畳の畳と堀炬燵の機能を両用できる畳ユニットであって、ユニットに畳と掘炬燵の両用を図るために、下部中央ボックスの上部に着脱可能な桟木が設置されたことを特徴とする３畳用畳ユニット＆掘り炬燵である。
【請求項２】
前記桟木は３畳用畳ユニット＆掘り炬燵の中央ボックス上部に設置され、上部が畳状態で使用されるときは桟木を設置し、３畳用畳ユニットの中央部を掘炬燵として使用されるときは桟木を取り外して使用できることを特徴とする３畳用畳ユニット＆掘り炬燵である。
【考案の詳細な説明】
【技術分野】
【０００１】本考案は、フロアー材等が敷設された部屋の一部に畳と掘り炬燵という和風空間を設けることができる畳ユニット＆掘り炬燵に関するものである。
【従来技術】
【０００２】従来の３畳用畳ユニットは、図３や図４の様な下部ボックスの上に、１畳用畳もしくは半畳用畳を敷き詰めていて、中央に掘り炬燵の無いものや、中央にそれを置くことが可能でも、それのみ専用で畳ユニットと堀炬燵の両用ができるものが無い。
【背景技術】
【０００３】この３畳用畳ユニット＆掘炬燵においてはフロアー材等が敷設された部屋の一部に、図５のボックス１を３つ設置する。そのうち図６のボックスを中央に設置し、中央ボックスの上部に桟木を設け、ボックス１上に図５の半畳用畳４もしくは炬燵テーブル５、を設置してなるもの（図１、図２）であり、部屋の一部に一段高さのある畳ユニットと掘炬燵の両用を可能にした和風空間を設けることができるものである。
【考案が解決しようとする課題】
【０００４】上記の従来技術においては、図３の仕様のものに関しては、中央部に畳を支えるための仕切り板が入るために、炬燵を設置しても足場スペースが仕切り板により遮られてしまい、掘り炬燵を設置することができないのである。
【０００５】上記に続き、図４の仕様のものに関しては、中央のボックスに半畳用畳を設置した際に畳が反転してしまう恐れがあり非常に危険である。
【課題を解決するための手段】
【０００６】本考案の３畳用畳ユニット＆掘炬燵においては、半畳用畳の設置と、炬燵の設置、両方を可能にするために中央ボックスの上部に着脱可能な桟木を設置するものである。
【考案の効果】
【０００７】以上説明したように本考案によれば、中央ボックスの上部に着脱可能な桟木を設けることにより、まず桟木を設置した際は半畳用畳のみの使用で設置ができ、かつ半畳用畳の安全な設置を可能にし、桟木を取り外した際には掘り炬燵様式になり、足元の十分なスペースが確保される。さらにこの桟木自体が簡単に着脱可能なため、年間を通して畳と掘り炬燵の使用を容易にすることができる。
【考案を実施するための最良の形態】
【０００８】以下、本考案を実施するための最良の形態について説明する。【０００９】３つからなるボックス１［図３］のうち、中央のボックスの中央部に桟木を掛けるための欠き込み７［図４］を入れる。その書き込みと同サイズの桟木３［図３］を設置する。この形態によって２枚の半畳用畳４［図３］を中央ボックスに安全に乗せることができる。この桟木３［図３］が無いと中央部に負荷がかかったときに半畳用畳が反転してしまう恐れがあり危険である。またこの桟木を外すことにより、もともと備え付けられている仕切り板１［図３］と中央ボックスの側板でできた正方形の上に炬燵５［図３］を設置することができ、その前後のスペースには敷板６［図３］を設置することで３畳の掘り炬燵の和風空間を作り出すことができる。
【図面の簡単な説明】
【００１０】
【図１】  本考案全体  全畳設置様式                    外観斜視図
【図２】  本考案全体  掘炬燵様式                      外観斜視図
【図３】  一般的な従来既製品畳ユニット下部ボックスＡ  外観斜視図
【図４】  一般的な従来既製品畳ユニット下部ボックスＢ  外観斜視図
【図５】  本考案の畳ユニット  パーツ詳細              外観斜視図
【図６】  本考案の下部中央ボックス  単体              外観斜視図
【符号の説明】
【００１１】１            下部ボックス            ５            炬燵
２            仕切り板                ６            敷板
３            桟木                    ７            欠き込み
４            半畳用畳
【図１】
0003187660.tif 000003
【図２】
0003187660.tif 000004
【図３】
0003187660.tif 000005
【図４】
0003187660.tif 000006
【図５】
0003187660.tif 000007
【図６】
0003187660.tif 000008
【手続補正書】
【提出日】平成25年9月17日(2013.9.17)
【手続補正１】
【補正対象書類名】実用新案登録請求の範囲
【補正対象項目名】全文
【補正方法】変更
【補正の内容】
【実用新案登録請求の範囲】
【請求項１】
３畳の畳と掘り炬燵の機能を両用できる畳ユニットであって、ユニットに畳と掘り炬燵の両用を図るために、下部中央ボックスの上部に着脱可能な桟木が設置されたことを特徴とする３畳用畳ユニットと掘り炬燵のセット。
【請求項２】
前記桟木は３畳用畳ユニットと掘り炬燵のセットの中央ボックス上部に設置され、上部が畳状態で使用されるときは桟木を設置し、３畳用ユニットの中央部を掘り炬燵として使用されるときは桟木を取り外して使用することができることを特徴とする請求項１に記載の３畳用畳ユニットと掘り炬燵のセット。
(57)【要約】      （修正有）【課題】大量の紙資源の消費を減らすとともに、カタログの軽量化が可能なオンラインカタログ用ハガキセットを提供する。【解決手段】ギフトカタログ名及びイメージ、オンラインカタログのアドレス、二次元コードを印刷した封筒と、オンラインカタログのアドレス、二次元コードを記載した注文用ハガキと、注文方法及びオンラインカタログのアドレス、二次元コードを記載した説明紙とを備え、封筒に、注文用ハガキ及び説明紙を封入する。ギフト商品の内容はアドレス及び二次元コードにより閲覧できる。【選択図】図４
0003187651.tif 000002
【実用新案登録請求の範囲】
【請求項１】
ギフトカタログ名及びイメージ、オンラインカタログのアドレス、ＱＲコードを印刷した封筒に、オンラインカタログのアドレス、ＱＲコードを記載した注文用ハガキと、注文方法及びオンラインカタログのアドレス、ＱＲコードを記載した説明紙を封入することにより、カタログギフトの軽量化及び、紙資源の使用量を減らすことを目的としている。
【考案の詳細な説明】
【技術分野】
【０００１】  本考案は従来のブック式カタログに代わる、オンラインカタログをメインとしたカタログギフトである。
【背景技術】
【０００２】  従来のブック式カタログでは、紙資源を大量に消費しており、また、受け取る側にとっては荷物になっていた。
【先行技術文献】
【特許文献】
【０００３】
【特許文献１】登録実用新案第３１７４１６１号
【特許文献２】登録実用新案第３０９８２９６号
【非特許文献】
【０００４】
【非特許文献１】ベルメゾン  ＭＵＳＵＢＩ
【非特許文献２】ＲＩＮＧ  ＢＥＬＬ  ブライダル
【考案の概要】
【考案が解決しようとする課題】
【０００５】  パソコン、スマートフォンの普及している現状を考え、オンラインカタログを利用することにより、ブック式カタログのような紙資源の消費を少なくし、また、引出物、香典返しなどの受け取る側の荷物負担を軽減することを目的としている
【課題を解決するための手段】
【０００６】  本考案では、オンラインカタログを利用することにより、ブック式カタログを使用する必要が無くなり、ハガキ、説明紙及び封筒にオンラインカタログのアドレスを記載することにより、商品の選択はパソコン、携帯、スマートフォンで行い、発注のみをハガキで行うことにより、紙資源の消費を少なくし、カタログの軽量化を行うことが出来、従来の問題点を解決している。
【考案の効果】
【０００７】  上記のように、ブック式カタログを利用しないため、紙資源の消費を少なくし、環境保全にも効果があり、引出物、香典返しなどの受け取り側の荷物負担を軽減することができる。
【図面の簡単な説明】
【０００８】
【図１】発注用ハガキの裏面であり、注文者情報、商品番号の記載欄を設け、封筒を無くしても、オンラインカタログのアドレスが分かるように、オンラインカタログのアドレス、ＱＲコードの記載により、より簡潔にオンラインカタログを見れるようにしている。
【図２】発注用ハガキの表面であり、発注先住所などを記載している。
【図３】発注書とともに同封するオンラインカタログの使用説明を記載しており、オンラインカタログのアドレス、ＱＲコードを記載し利用しやすいようにしている。
【図４】オンラインカタログのメインとなる封筒であり、カタログ名・写真によりイメージを打ち出すようにし、また、カタログの購入時に掲載商品の内容が分かるように、オンラインカタログのアドレス、ＱＲコードを記載している。
【考案を実施するための形態】
【０００９】  図４の封筒に図１及び図２の発注用ハガキと、図３の使用説明を同封することにより、受け取り側が分かりやすいようにする。また、贈呈者は図４の封筒に記載されたオンラインカタログのアドレス、ＱＲコードにより、カタログ内容を確認してカタログを購入することができる。
【実施例】
【００１０】  引出物や香典返しなどの商材として利用することができる。
【産業上の利用可能性】
【００１１】  現在あるブック式カタログの代替として、また使い分けによりパソコンなどの苦手な方にはブック式カタログ、パソコンなどを触れる方には当考案のオンラインカタログ用ハガキセットの利用などが考えられる。
【図１】
0003187651.tif 000003
【図２】
0003187651.tif 000004
【図３】
0003187651.tif 000005
【図４】
0003187651.tif 000006
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
ギフトカタログ名及びイメージ、オンラインカタログのアドレス、二次元コードを印刷した封筒と、オンラインカタログのアドレス、二次元コードを記載した注文用ハガキと、注文方法及びオンラインカタログのアドレス、二次元コードを記載した説明紙とを備えたオンラインカタログ用ハガキセットであって、前記封筒に、前記注文用ハガキ及び前記説明紙を封入したことを特徴とするオンラインカタログ用ハガキセット。
【手続補正２】
【補正対象書類名】明細書
【補正対象項目名】０００８
【補正方法】変更
【補正の内容】
【０００８】
【図１】発注用ハガキの裏面であり、注文者情報、商品番号の記載欄を設け、封筒を無くしても、オンラインカタログのアドレスが分かるように、オンラインカタログのアドレス、二次元コードの記載により、より簡潔にオンラインカタログを見れるようにしている。
【図２】発注用ハガキの表面であり、発注先住所などを記載している。
【図３】発注書とともに同封するオンラインカタログの使用説明を記載しており、オンラインカタログのアドレス、二次元コードを記載し利用しやすいようにしている。
【図４】オンラインカタログのメインとなる封筒であり、カタログ名・写真によりイメージを打ち出すようにし、また、カタログの購入時に掲載商品の内容が分かるように、オンラインカタログのアドレス、二次元コードを記載している。
【手続補正３】
【補正対象書類名】明細書
【補正対象項目名】０００９
【補正方法】変更
【補正の内容】
【０００９】
図４の封筒に図１及び図２の発注用ハガキと、図３の使用説明を同封することにより、受け取り側が分かりやすいようにする。また、贈呈者は図４の封筒に記載されたオンラインカタログのアドレス、二次元コードにより、カタログ内容を確認してカタログを購入することができる。
【手続補正４】
【補正対象書類名】図面
【補正対象項目名】全図
【補正方法】変更
【補正の内容】
【図１】
0003187651.tif 000007
【図２】
0003187651.tif 000008
【図３】
0003187651.tif 000009
【図４】
0003187651.tif 000010
(57)【要約】      （修正有）【課題】厚みを減らし携帯しやすい形状にした付箋を提供する。【解決手段】裏面の一端部に接着剤２を付着させた複数の付箋１を、少しずつずらして瓦状に重ねて台紙３の上に貼り付けて、薄くシート状に形成する。【選択図】図１
0003187655.tif 000002
【実用新案登録請求の範囲】
【請求項１】
付箋を少しずつずらして瓦状に台紙に貼ることによりシート状の薄型する
【考案の詳細な説明】
【技術分野】
【０００１】  本発明は、付箋と本やノートを別々に持ち歩く不便さを解消するための考案である。
【背景技術】
【０００２】  従来付箋は、厚みがある形態のため本やノートとは別々に持ち歩かれていた。
【考案の概要】
【考案が解決しようとする課題】
【０００３】  付箋は本やノート、手帳などで利用することが多いのに厚みがあるため、本や手帳ノートなどとは別々に持ち歩かれ使用するときには出しずらかったり、忘れたり不便なことが多かった。この不便さを少しでも解消しようと考えたのが本考案である。
【考案を解決するための手段】
【０００４】  栞や台紙に付箋を少しずつずらして貼り付け一体形にし薄型にした。
【考案の効果】
【０００５】  付箋を栞や台紙に瓦状に取付けたので厚みが減り、本や手帳に挟んで持ち歩くことができ、忘れることも減り必要な時に即座に利用できるようになった。
【０００６】  使用し終わった付箋は通常捨てられることが多いが、栞や台紙を利用することにより貼り戻すことがしやすく再利用が増大した。
【図面の簡単な説明】
【０００７】
【図１】  台紙に複数の付箋を貼った状態の側面図
【図２】  台紙に付箋を貼り重ねた状態を上から見た平面図
【図３】  ［図１］を下から見た図
【実施例】
【０００８】  栞や台紙に、少しづつずらして付箋を貼り重ねる
【符号の説明】
【０００９】  １        付箋
２        付箋用接着剤
３        貼付用台紙
【図１】
0003187655.tif 000003
【図２】
0003187655.tif 000004
【図３】
0003187655.tif 000005
【手続補正書】
【提出日】平成25年9月24日(2013.9.24)
【手続補正１】
【補正対象書類名】実用新案登録請求の範囲
【補正対象項目名】全文
【補正方法】変更
【補正の内容】
【実用新案登録請求の範囲】
【請求項１】
裏面の一端部に接着剤を付着させた複数の付箋が、少しずつずらして瓦状に重ねて台紙の上に貼り付けて配置され、薄くシート状に形成されてなる付箋。
(57)【要約】      （修正有）【課題】大量の紙資源の消費を減らすとともに、カタログの軽量化が可能なオンラインカタログ用ハガキセットを提供する。【解決手段】オンラインカタログ名及びイメージ、オンラインカタログのアドレス及び二次元コードを記載してなる表紙と、オンラインカタログに関する説明書と、カタログ掲載商品を注文するための注文ハガキのセットからなる。ハガキ２枚分の利用のみのため、紙資源の消費が減る。【選択図】図２
0003187652.tif 000002
【実用新案登録請求の範囲】
【請求項１】
表紙、オンラインカタログ説明、注文ハガキを１セットとし、表紙にオンラインカタログのアドレス、ＱＲコードを記載することにより、贈呈者は商品内容を確認して購入することができ、受け手側の荷物負担を軽くすることができる。また、カタログギフトの軽量化及び、紙資源の使用量を減らすことができる。
【考案の詳細な説明】
【技術分野】
【０００１】  本考案は従来のブック式カタログに代わる、オンラインカタログをメインとしたカタログギフトハガキである。
【背景技術】
【０００２】  従来のブック式カタログでは、紙資源を大量に消費しており、また、受け取る側にとっては荷物になっていた。
【先行技術文献】
【特許文献】
【０００３】
【特許文献１】登録実用新案第３１７４１６１号
【特許文献２】登録実用新案第３０９８２９６号
【非特許文献】
【０００４】
【非特許文献１】ベルメゾン  ＭＵＳＵＢＩ
【非特許文献２】ＲＩＮＧ  ＢＥＬＬブライダル
【考案の概要】
【考案が解決しようとする課題】
【０００５】  パソコン、スマートフォンの普及している現状を考え、オンラインカタログを利用することにより、ブック式カタログのような紙資源の消費を少なくし、また、引出物、香典返しなどの受け取る側の荷物負担を軽減することを目的としている
【課題を解決するための手段】
【０００６】  本考案では、オンラインカタログを利用することにより、ブック式カタログを使用する必要が無くなり、ハガキ、説明書きにオンラインカタログのアドレスを記載することにより、商品の選択はパソコン、携帯、スマートフォンで行い、発注のみをハガキで行うことにより、紙資源の消費を少なくし、ブック型カタログを無くすことができ、従来の問題点を解決している。
【考案の効果】
【０００７】  上記のように、ブック式カタログを利用しないため、紙資源の消費を少なくし、環境保全にも効果があり、引出物、香典返しなどの受け取り側の荷物負担を軽減することができる。そして、メッセージカードや、挨拶状と一緒にギフトハガキを渡すことができ、贈り手の労力、手間の無駄を軽減すことができる。
【図面の簡単な説明】
【０００８】
【図１】オンラインカタログ用ハガキの表面であり、Ａの部分にミシン目を入れ、折り畳み、片面がカタログギフトの表紙となる部分であり、オンラインカタログのアドレス、ＱＲコードを記載することにより、パソコンなどにより、取扱い商品内容を確認できるようにする。
【図２】発注用ハガキの裏面であり、Ｂの部分にミシン目を入れ折りたたむようにする。
【考案を実施するための形態】
【０００９】  贈呈者は図１の表紙に記載されたオンラインカタログのアドレス、ＱＲコードにより、カタログ内容を確認してカタログを購入することができる。受け手側は、ミシン目で切り取ったハガキにより商品の注文をできる。
【実施例】
【００１０】  引出物や香典返しなどの商材として利用することができる。
【産業上の利用可能性】
【００１１】  現在あるブック式カタログの代替として、また使い分けによりパソコンなどの苦手な方にはブック式カタログ、パソコンなどを触れる方には当考案のオンラインカタログ用ハガキの利用などが考えられる。
【図１】
0003187652.tif 000003
【図２】
0003187652.tif 000004
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
オンラインカタログ名及びイメージ、オンラインカタログのアドレス及び二次元コードを記載してなる表紙と、オンラインカタログに関する説明書と、カタログ掲載商品を注文するための注文ハガキよりなるオンラインカタログ用ハガキセット。
【手続補正３】
【補正対象書類名】明細書
【補正対象項目名】０００８
【補正方法】変更
【補正の内容】
【０００８】
【図１】オンラインカタログ用ハガキの表面であり、Aの部分にミシン目を入れ、折り畳み、片面がカタログギフトの表紙となる部分であり、ギフトカタログ名及びイメージ、オンラインカタログのアドレス、二次元コードを記載することにより、スマートフォン、携帯及びパソコンなどにより、取扱い商品内容を確認できるようにする。
【図２】発注用ハガキの裏面であり、Bの部分にミシン目を入れ折りたたむようにする。
【手続補正４】
【補正対象書類名】明細書
【補正対象項目名】０００９
【補正方法】変更
【補正の内容】
【０００９】
贈呈者は図１の表紙に記載されたオンラインカタログのアドレス、二次元コードにより、カタログ内容を確認してカタログを購入することができる。受け手側は、ミシン目で切り取ったハガキにより商品の注文をできる。
【手続補正５】
【補正対象書類名】図面
【補正対象項目名】全図
【補正方法】変更
【補正の内容】
【図１】
0003187652.tif 000005
【図２】
0003187652.tif 000006